(57)【要約】【課題】液体タンク内への液体の注入により音声を発したりポンプを作動すると共に、注入した液体を利用したアクションを起こす、興趣に富んだ玩具を提供する。【解決手段】可動部２１１を有する形象物２１と、排水口３１，７１を有する液体タンク３，７と、タンク３，７内に設けられ、タンク３，７内に収容した液体の接触により通電する導電片４，８と、導電片４，８間の通電により音声を発声する音声発声装置５と、排水口３１より下方に位置する水車６と、導電片４，８の通電により作動するポンプ９と、液体を外部へ放出する放出部１０とを備える。液体タンク３，７内への液体の注入により導電片４間が通電する。音声が発声すると共に、液体が排水口３１より排出され、水車６が回転駆動し、回転駆動力の伝達により可動部２１１を作動させる。ポンプ９が作動すると共に、排水口７１から排出される液体がポンプ９の動力により放出部１０から放出する。【選択図】    図１
2004358086.tif 000002
【特許請求の範囲】
【請求項１】
可動部を有する形象物と、排水口を有する液体タンクと、該タンク内に設けられ、該タンク内に収容した液体の接触により通電する一対の導電片と、該導電片間の通電により予め設定した音声を発声する音声発声装置と、前記排水口より下方に位置する水車とを備え、前記液体タンク内への液体の注入により導電片間が通電して音声を発声すると共に、前記液体が前記排水口より排出され、該液体により水車が回転駆動し、該水車の回転駆動力の伝達により前記形象物の可動部を作動させる液体通電作動玩具。
【請求項２】
排水口を有する液体タンクと、該タンク内に設けられ、該タンク内に収容した液体の接触により通電する一対の導電片と、該導電片の通電により作動するポンプと、該ポンプの作動により液体を外部へ放出する放出部とを備え、前記液体タンク内への液体の注入により導電片間が通電して前記ポンプが作動すると共に、前記排水口より排出される液体が前記ポンプの作動により放出部から放出される液体通電作動玩具。
【請求項３】
可動部を有する形象物と、排水口を有する１個又は複数個の液体タンクと、該タンク内に設けられ、該タンク内に収容した液体の接触により通電する一対の導電片と、該導電片間の通電により予め設定した音声を発声する音声発声装置と、前記排水口より下方に位置する水車と、前記導電片間の通電により作動するポンプと、該ポンプの作動により液体を外部へ放出する放出部とを備え、前記液体タンク内への液体の注入により導電片間が通電することで音声が発声すると共に、前記液体が前記排水口より排出され、該液体により水車が回転駆動し、該水車の回転駆動力の伝達により前記形象物の可動部を作動させるか、又は前記ポンプが作動すると共に、前記排水口より排出される液体が前記ポンプの作動により放出部から放出される液体通電作動玩具。
【請求項４】
前記導電片の外周面を絶縁層により被覆し、前記導電片の先端露出部により導電片間が通電する請求項１乃至３のいずれかに記載の液体通電作動玩具。
【発明の詳細な説明】
【０００１】
【発明の属する技術分野】
本発明は玩具に関する。更に詳細には、液体の有無を検知して自動的に作動、停止を行なう液体通電作動玩具に関する。
【０００２】
【従来の技術】
従来より、液体を感知して音声を発すると共に駆動部を作動する玩具が開示されている（例えば、特許文献１）。
【０００３】
【特許文献１】
実用新案登録第３００１８５８号公報
【０００４】
【発明が解決しようとする課題】
しかしながら、前記した玩具は、液体注入時にのみ作動するものであって、注入された液体はそのまま玩具内に貯溜されてしまうものであった。
本発明は、液体タンク内への液体の注入により音声を発したりポンプを作動すると共に、注入した液体を利用したアクションを付加した、より興趣に富んだ玩具を提供するものである。
【０００５】
【課題を解決するための手段】
本発明の液体通電作動玩具１は、可動部２１１を有する形象物２１と、排水口３１を有する液体タンク３と、該タンク３内に設けられ、該タンク３内に収容した液体の接触により通電する一対の導電片４と、該導電片４間の通電により予め設定した音声を発声する音声発声装置５と、前記排水口３１より下方に位置する水車６とを備え、前記液体タンク３内への液体の注入により導電片４間が通電して音声を発声すると共に、前記液体が前記排水口３１より排出され、該液体により水車６が回転駆動し、該水車６の回転駆動力の伝達により前記形象物２１の可動部２１１を作動させること（請求項１）を要件とする。更に、排水口７１を有する液体タンク７と、該タンク７内に設けられ、該タンク７内に収容した液体の接触により通電する一対の導電片８と、該導電片８の通電により作動するポンプ９と、該ポンプ９の作動により液体を外部へ放出する放出部１０とを備え、前記液体タンク７内への液体の注入により導電片８間が通電して前記ポンプ９が作動すると共に、前記排水口７１より排出される液体が前記ポンプ９の作動により放出部１０から放出されること（請求項２）を要件とする。更に、可動部２１１を有する形象物２１と、排水口３１，７１を有する１個又は複数個の液体タンク３，７と、該タンク３，７内に設けられ、該タンク３，７内に収容した液体の接触により通電する一対の導電片４，８と、該導電片４，８間の通電により予め設定した音声を発声する音声発声装置５と、前記排水口３１より下方に位置する水車６と、前記導電片４，８間の通電により作動するポンプ９と、該ポンプ９の作動により液体を外部へ放出する放出部１０とを備え、前記液体タンク３，７内への液体の注入により導電片４，８間が通電することで音声が発声すると共に、前記液体が前記排水口３１より排出され、該液体により水車６が回転駆動し、該水車６の回転駆動力の伝達により前記形象物２１の可動部２１１を作動させるか、又は前記ポンプ９が作動すると共に、前記排水口７１より排出される液体が前記ポンプ９の作動により放出部１０から放出されること（請求項３）を要件とする。更には、前記導電片４，８の外周面を絶縁層４１，８１により被覆し、前記導電片４，８の先端露出部により導電片間が通電すること（請求項４）等を要件とする。
【０００６】
本発明の請求項１における液体通電作動玩具１は、液体タンク３内に水（常温の水、冷水、温水）等の液体を注入すると導電片４間が通電し、音声が発声されると共に、前記導電片４を通電させた液体が液体タンク３の排水口３１から排出される際に水車６を回転駆動させ、該水車６の回転駆動力を伝達することで可動自在に設けられた形象物２１の構成部分（可動部２１１）を作動させることができるものである。
【０００７】
本発明において前記形象物２１を人形や動物や各種キャラクターとした場合、手足を動かしてアクションを起こしたり、口や目を動かすことで人形や動物に表情の変化をもたらすことができる。
また、前記導電片４を液体タンク３内に複数設けることで、水位によって発生する音声に変化を持たせることもできる。
更に、前記音声発声装置５と、他のアクションを起こすことができる通電作動装置を併用することにより、液体タンク３内に液体を注入して導電片４間が通電した際に、音声を発生させると共に、他のアクションを起こすこともできる。この際、一対の導電片４に前記２種類の装置を接続して音声発声と他のアクションを同時に起こしたり、複数の導電片４を用いることで水位の変化によって音声を発生したり、アクションを起こす等、異なる表現ができるものとなる。前記通電作動装置としてはモーターやＬＥＤ１２が挙げられ、モーターの回転を利用した動作や、ＬＥＤ１２による光の点灯や点滅等を付加できる。
また、前記排水口３１に水路や湾曲したコースを有する滑り台を設けることも可能であり、これにより液体の落下する場所（即ち水車６を設ける位置）を自由に設定することができ、更に、液体の落下速度（即ち水車６の回転速度）を自由に調整できる。
【０００８】
本発明の請求項２の液体通電作動玩具１は、液体タンク７内に液体を注入すると導電片８間が通電しポンプ９が作動すると共に、前記導電片８間を通電させた液体が、液体タンク７の排水口７１から排出さ、その排出された液体を前記ポンプ９の動力を用いて放出部１０より放出することができるものである。
【０００９】
前記ポンプ９としては、液体を外部に放出するための動力を発生するものであればどのようなものでも用いることができる。更に複数の導電片８を用いて液体タンク７内の水位の変化によって前記ポンプ９の動力に強弱をつける手段を介在させることで噴出量を調整したり、放出部１０の切り換えを行う手段を介在させることで放出箇所を選択することもできる。前記放出部１０としてはシャワー１０１、噴水１０２、水鉄砲等を挙げることができる。
更に、前記ポンプ９と、他のアクションを起こすことができる通電作動装置を併用することにより、液体タンク７内に液体を注入して導電片８間が通電した際に、放出部１０より液体を放出すると共に、他のアクションを起こすこともできる。この際、一対の導電片８に前記２種類の装置を接続して液体放出と他のアクションを同時に起こしたり、複数の導電片８を用いることで水位の変化によってポンプ９の回転速度を変化させて作動させたり、アクションを起こす等、異なる表現ができるものとなる。前記通電作動装置としてはモーターやＬＥＤ１２が挙げられ、モーターの回転を利用した動作や、ＬＥＤ１２による光の点灯や点滅等を付加できる。
【００１０】
本発明の請求項３の液体通電作動玩具１は、ひとつの玩具に音声発生、液体放出、可動部２１１の作動等の種々の機能を設けることにより、液体を用いてより多彩なアクションを起こすことができる玩具となるものである。
【００１１】
前記請求項３の液体通電作動玩具１は、例えば、液体タンク３，７を一体化して一つの液体タンク３，７とし、該液体タンク３，７内に設けられる導電片４，８を一対のみ設け、該導電片４，８に音声発生装置５及びポンプ９を接続することで、一箇所からの液体注入で音声の発生とポンプ９の作動による液体放出が行われると共に、排水口３１からの排水により水車６が回転駆動し、該回転駆動力の伝達により可動部２１１が作動するものとすることができる。また、導電片４，８の組数を増やして設けることで、水位や水量により発生する音声を変えたり、放出する液量や放出部１０を選択して液体を放出する等の異なるアクションを起こすこともできる。
また、請求項３の液体通電作動玩具１は、例えば、液体タンク３，７を複数個設け、各液体タンク３，７内に各一対の導電片４，８と、該導電片４，８に接続される各１種類の装置を設けることで、注水箇所により異なったアクションを起こすことができる。また、各液体タンク３，７内に設けられる導電片４，８の組数を増やすことで、各液体タンク３，７毎で注入する液体の水位や水量により異なるアクションを起す等、多彩な表現が可能となる。
更に、前記音声発生装置５及びポンプ９と共に、他のアクションを起こすことができる通電作動装置を併用することにより、液体タンク３，７内に液体を注入して導電片４，８が通電した際に、音声発生や液体の放出と共に、他のアクションを起こすこともでき、より多彩な表現が可能となり、更に興趣に富んだ玩具とすることができる。前記駆動装置としてはモーターやＬＥＤ１２が挙げられ、モーターの回転を利用した動作や、ＬＥＤ１２による光の点灯や点滅等を付加できる。
【００１２】
前記請求項４の液体通電作動玩具１は、前記導電片４，８の外周面を絶縁層４１，８１により被覆し、先端部分を非被覆状態で突出させることで、液体タンク３，７内に液体が注がれた際には前記導電片４，８の先端部分間が通電し、音声発生やポンプ作動を起こすと共に、液体タンク３，７から水が排出された後、液体タンク３，７内に微量の液体が残っていても導電片４，８間の通電状態が解除され、自動的に装置が停止するため、誤作動を防止できるものとなる。即ち、液体タンク３，７内に水が一定量以上存在する間は導電片４，８間の通電状態が維持され、液体タンク内の水が減少して一定量以下になると導電片４，８間の通電状態が解除されるものとなる。
前記導電片４，８を液体タンク３，７の底面に設けた場合、前記絶縁層４１，８１の液体タンク底面からの高さを調整することで容易に通電しうる液量を変えることができる。
【００１３】
【発明の実施の形態】
以下に本発明の玩具について図面に基づき説明する。図１は本発明の液体通電作動玩具の一実施例を示す正面図であり、図２は図１の内部構造を示す裏面図である。
【００１４】
本発明の液体通電作動玩具１は、可動部（目玉）２１１を有する形象物（キャラクター顔部）２１を中央部に配する合成樹脂製の本体２からなり、該本体２の上部には、それぞれ上方に注入口を有し且つ下方に排水口３１，７１を有する液体タンク３，７を二つ備えると共に、内部には電池と、電子部品で構成された検出回路１１と、該検出回路１１に内蔵される音声発声装置５と、前記検出回路１１に接続されるポンプ９がいずれも防水構造が施されて組み込まれている。更に、前記検出回路１１にはＬＥＤ１２が接続されている。
また、前記本体２には、一つの液体タンク３の排水口３１の下方に水車６が設けられると共に、もう一つの液体タンク７より排出される水を外部へ放出するシャワー１０１及び噴水１０２が切り換え部１０３を介して設けられている。
【００１５】
前記液体タンク３，７の各々の底面には、排水口３１が設けられると共に、検出回路１１に繋がる一対の導電片４，８がタンク底面から３ｍｍの高さでそれぞれ設けられており、更に該導電片４，８の周囲を囲むようにタンク底面から２ｍｍの高さで絶縁層４１，８１が設けられている。前記構成により、液体タンク３，７から水が排出された後、タンク内の底面に微量の水が残っていても導電片４，８間は通電しないので、微量の残水により通電状態が維持されてしまうことがなくなる。
【００１６】
電源を入れた後、一方の液体タンク３内に水を注ぐと、導電片４が通電し、検出回路１１を介してＬＥＤ１２が点滅すると共に、音声発声装置５が作動して形象物（キャラクター）２１が発声する。これとほぼ同時に、スイッチングのために注入された水が排水口３１から排出され下方に落下し、該水を利用して水車６が回転される。前記水車６の回転運動がクランク部材６１により往復運動に変換され、スライド部材６２を往復運動させるため、形象物（キャラクター）２１の可動部（目玉）２１１が左右に作動する。液体タンク３内の水が無くなると音声発声装置５は自動的に停止する。
【００１７】
また、他方の液体タンク７内に水を注ぐと、導電片８が通電し、検出回路１１を介してＬＥＤ１２が点滅すると共に、ポンプ９が通電作動し、スイッチングのために注入された水が排水口７１より排出され、その排出された水がポンプ９の動力を利用して外部に放出される。放出される水は切り換え部１０３によりシャワー１０１又は噴水１０２を選択して放水される。液体タンク７内の水が無くなるとポンプ９は自動的に停止する。
【００１８】
尚、前記液体通電作動玩具１の本体２の裏面には、浴槽壁面等に吸着する吸盤を設けることができる。これにより、使用し易い高さや位置に固定することができると共に、非使用時には容易に取り外すことも可能となる。
【００１９】
更に、前記液体通電作動玩具１には、液体タンク３，７に液体を注ぐための道具、例えばヒシャク、バケツ、ジョウロ等を着脱自在に設けることもできる。
【００２０】
【発明の効果】
本発明は請求項１により、タンク内に液体を注入することで音声が発声されると共に、スイッチングのために注入された液体を利用して、可動部を作動することができる、興趣に富む液体通電作動玩具を提供できる。
【００２１】
本発明は請求項２により、タンク内に液体を注入することでポンプを作動させ、該ポンプの動力を用いてスイッチングのために注入された液体を放出部から放出することができる、興趣に富む液体通電作動玩具を提供できる。
【００２２】
本発明は請求項３により、１台の玩具に種々の機能を設けることで、液体によるスイッチングで生じるアクションと、スイッチングのために注入された液体の排出を利用したアクションとの組み合わせで、多彩な表現が可能となるので、より一層玩具としての面白みが増し、より興趣の高いものとなる。
【００２３】
本発明は請求項４により、液体タンク内に液体が注がれた際には導電片間が通電すると共に、液体タンクから水が排出された後に、液体タンク内に微量の液体が残っていても導電片間の通電が解除され自動停止することができ、通電解除が確実になされる玩具を提供できる。
【図面の簡単な説明】
【図１】本発明の液体通電作動玩具の一実施例を示す正面平面図である。
【図２】図１の内部構造を示す裏面平面図である。
【符号の説明】
１  液体通電作動玩具
２  本体
２１  形象物（キャラクター）
２１１  可動部（目玉）
３，７  液体タンク
３１，７１  排水口
４，８  導電片
４１，８１  絶縁層
５  音声発声装置
６  水車
６１  クランク部材
６２  スライド部材
９  ポンプ
１０  放出部
１０１  シャワー
１０２  噴水
１０３  切り換え部
１１  検出回路
１２  ＬＥＤ
【図１】
2004358086.tif 000003
【図２】
2004358086.tif 000004